(57)【要約】【課題】プラグインユニットの未実装時に冷却風による放熱性の確保及び電波の漏出防止を行なうことができる電子装置を提供する。【解決手段】電子装置１０のスロット部１２には、インターフェースカード１３を内部に実装するトレイユニット２０を備え、トレイユニット２０の前面部に設けた平板面部３３の一部にインターフェースカード１３の電気コネクタ部を挿通させる長尺孔部３４を形成し、この長尺孔部３４を閉塞或いは、開放する回転扉部を設け、インターフェースカード１３の未実装時或いは、実装時に応じて、回転扉部により長尺孔部３４の閉塞或いは、開放を行なう。【選択図】        図１
2010087004.tif 000002
【特許請求の範囲】
【請求項１】
プラグインユニットを搭載するスロット部と、装置内部に送風を行なう送風ファンとを備えた電子装置であって、
前記電子装置は、
前記複数のスロット部内に収納可能なトレイユニットを備え、
前記トレイユニットは、前記プラグインユニットを搭載可能なトレイ本体部と、当該トレイ本体部の前面に設けられた表面板部とを備え、
前記表面板部には、前記プラグインユニットに設けた電気コネクタ部を挿通する通孔が形成されるとともに、当該通孔を閉塞或いは、開放する開閉板を備えることを特徴とする電子装置。
【請求項２】
プラグインユニットを搭載するスロット部と、装置内部に送風を行なう送風ファンとを備えた電子装置であって、
前記電子装置は、
前記複数のスロット部内に収納可能なトレイユニットを備え、
前記トレイユニットは、前記プラグインユニットを搭載可能なトレイ本体部と、当該トレイ本体部の前面に設けられた表面板部とを備え、
前記表面板部には、前記プラグインユニットに設けた電気コネクタ部を挿通する通孔が形成されるとともに、当該通孔を閉塞或いは、開放する開閉板を備え、
前記開閉板は、前記トレイユニットに対する前記プラグインユニットの未実装時には、前記表面板部の前記通孔を閉塞するとともに、前記プラグインユニットの実装時には、前記表面板部の前記通孔を開放することを特徴とする電子装置。
【請求項３】
前記開閉板は、当該開閉板の回転軸を中心として所定の方向に回転させる回転機構を備え、
前記トレイユニットに対する前記プラグインユニットの未実装時には、前記表面板部の前記通孔を、前記回転機構による回転軸の回転により閉塞するとともに、前記プラグインユニットの実装時には、前記表面板部の前記通孔を前記回転機構による回転軸の回転により開放することを特徴とする請求項１または２に記載の電子装置。
【請求項４】
前記表面板部には、前記トレイユニットに対する前記プラグインユニットの未実装時に前記開閉板を当該表面板部の所定の位置に固定する少なくとも１箇所以上の固定機構が設けられることを特徴とする請求項１、２または３に記載の電子装置。
【請求項５】
前記トレイユニットの前記表面板部に形成された前記通孔の周囲には、電波の放射を防止する電波防止部材が設けられることを特徴とする請求項１〜請求項４の何れか一つに記載の電子装置。
【請求項６】
前記トレイユニットに対する前記プラグインユニットの未実装時には、前記表面板部の前記通孔の周囲に形成された前記電波防止部材と、前記開閉板の周囲部とが密着接触し、前記トレイユニットに対する前記プラグインユニットの実装時には、前記表面板部の前記通孔の周囲に形成された前記電波防止部材と、前記プラグインユニットの一部とが密着接触することを特徴とする請求項５に記載の電子装置。
【発明の詳細な説明】
【技術分野】
【０００１】
本発明は、複数のインターフェースカードや制御カードなどのプラグインユニット（ＰＩＵ：Ｐｌａｇ  ｉｎ  Ｕｎｉｔ）をスロット内部に実装可能とする電子装置に関し、特に、プラグインユニットの未実装時に電子装置内部の放熱性を確保するとともに電波の漏出防止を行なうことができる電子装置に関する。
【背景技術】
【０００２】
従来から、例えば、通信装置や測定装置などの電子装置の内部に設けたスロット部には、複数のインターフェースカードや制御カードなどのプラグインユニットが実装されている。
【０００３】
［従来の電子装置１の全体構成の概要］
以下、図１２および図１３を用いて従来の電子装置１の全体構成の概要について説明する。ここで、図１２は、従来の電子装置１の全体構成を示す外観斜視図を示している。また、図１３は、電子装置１に対する塞ぎ板７の取り付け状態を示す外観斜視図である。
【０００４】
すなわち、同図に示すように、電子装置１は、全体がコンソール型の本体部２から構成されるとともに、この本体部２には、複数（図１２、１３では、８個）のスロット部３が形成されている。そして、これら複数のスロット部３の内部に複数の制御カード４やインターフェースカード５を搭載している。
【０００５】
特に、インターフェースカード５は、顧客の要求に応じて増設できるように、電子装置１の内部に、１枚〜数１０枚程度のインターフェースカード５を搭載できる構成となっている。また、このような電子装置１の場合では、近年の高機能化による高密度化、高速化、高消費電力化に伴い、内部に搭載したインターフェースカード５を冷却するための冷却ファン（図示せず）を備えている。
【０００６】
冷却ファンにより電子装置１の前側位置（図１２、１３の左側）に設けた通風孔６から外部の空気を取り込み電子装置１内部に搭載した制御カード４やインターフェースカード５を送風により冷却することができる。
【０００７】
ここで、電子装置１の初期導入時などでは、電子装置１の内部に設けられたスロット部３にインターフェースカード５が全て搭載されていない場合が多いため、インターフェースカード５が未搭載の位置（スロット部３）には冷却ファンからの冷却風が外へ漏出しないように、塞ぎ板７（図１３）を電子装置１のスロット部３に設けることで、放熱性を確保するようにしている。
【０００８】
図１３に示すように、塞ぎ板７は、スロット部３の開口部を塞ぐようにほぼ同寸法の長尺型に形成されており、同図に示すように、この塞ぎ板７は、２本の取り付けねじ７ａを使用して、インターフェースカード５が搭載していないスロット部３に取り付けることで、このスロット部３の開口部を閉塞することとしている。
【０００９】
また、この塞ぎ板７の内側板部８には、隣接する他のスロット部３に設けた塞ぎ板やインターフェースカード５と密着することで電波の漏出を防止するガスケット９が設けられている。
【００１０】
また、このような電子装置に関する従来技術としては、パッケージ（ＰＫＧ）を内部に挿入した場合にブランクパネルの上下が開放し、これにより、開放した開放部がＰＫＧの挿入ガイドとなるとともに、ＰＫＧのプラグイン部となるブランクパネルの構造が開示されている（特許文献１参照）。
【００１１】
また、同様に、電子装置に関する従来技術としては、導電性部材をブランクパネル側に移動させることで、ＰＫＧが未実装の部分を覆うことができる通信機用のブランクパネルについて開示されている（特許文献２参照）。
【００１２】
【特許文献１】特開平１１−３４０６５５号公報
【特許文献２】特開２００６−４１０７６号公報
【発明の開示】
【発明が解決しようとする課題】
【００１３】
ところが、上述した従来の電子装置の場合、冷却ファンからの冷却風及び電波が、インターフェースカードが未搭載の位置（スロット部の開口）から外部へ漏出しないようにネジ等を用いてガスケット付きの塞ぎ板を電子装置に固定するようにしていたが、このように塞ぎ板を使用する場合には、以下に示す問題がある。
【００１４】
すなわち、初期導入の時点では、塞ぎ板７が電子装置１に実装されていないため、インターフェースカード５が未実装の位置に塞ぎ板７を実装する手間や作業が別途必要となるという問題がある。
【００１５】
また、ユーザがインターフェースカード５を新たに増設する場合には、スロット部３に取り付けた塞ぎ板７を取り外す必要があるため、塞ぎ板７の取り外しの手間や外した塞ぎ板７が余剰部品となることから管理が必要となるうえ、在庫管理や納品管理が煩雑になるという問題がある。
【００１６】
一方、インターフェースカード５を減設する場合には、再度、塞ぎ板７をスロット部３に取り付ける作業が必要となるうえ、電子装置１の初期導入時及びインターフェースカード５を増設した時に取り外した塞ぎ板７を紛失する恐れがあるという問題ある。
【００１７】
また、前述した特許文献１の場合には、ブランクパネルが上下２枚に分割される構造であり、ＰＫＧの挿入時にはブランクパネルが倒れることで、このＰＫＧが内部に実装される構造であるため、ブランクパネルの上下に隙間が生じ、この隙間により電波漏出や冷却風が隙間から漏出するなどの問題が発生する恐れがある。
【００１８】
また、前述した特許文献２の場合には、導電性部材（布などの面状部材）を巻き取るための巻き取り部材を新たに設ける必要があるため、この巻き取り部材のスペースにより、ＰＫＧを収納する枚数が制限されるという問題がある。
【００１９】
そこで、この発明は、上述した従来技術の課題を解決するためになされたものであり、プラグインユニット（ＰＩＵ）の未実装時においても電子装置内部の放熱性を確保するとともに電波の漏出防止を行なうことができる電子装置を提供することを目的とする。
【課題を解決するための手段】
【００２０】
開示の電子装置は、当該電子装置の複数のスロット部内に、プラグインユニット（ＰＩＵ）を実装した状態で搭載可能なトレイユニットを備えるとともに、トレイユニットには、プラグインユニットの未実装時或いは、実装時にトレイユニットに形成された電気コネクタ用の通孔を閉塞或いは、開放させる開閉板を設けることを要件とする。
【発明の効果】
【００２１】
プラグインユニットは、電子装置の複数のスロット部に搭載可能なトレイユニットに実装されるとともに、このプラグインユニットの未実装時には、トレイユニットの開閉板により通孔を閉塞させ、プラグインユニットの実装時には、トレイユニットの開閉板により通孔を開放させることができるので、プラグインユニットの未実装時においても、冷却ファンの冷却風による放熱性の確保及び電波の漏出防止を行なうことができる。
【発明を実施するための最良の形態】
【００２２】
以下に添付図面を参照して、本実施例１に係る電子装置の詳細について説明する。なお、以下に示す実施例１によりこの発明が限定されるものではない。
【実施例１】
【００２３】
［電子装置の構成および概要］
先ず、本実施例１に係る電子装置の構成および概要を説明する。図１は、実施例１に係る電子装置１０の全体構成を示す外観斜視図である。ここで、図１の電子装置１０では、インターフェースカード１３を未実装のトレイユニット２０（図１の上段）とインターフェースカード１３を実装した状態のトレイユニット２０（図１の下段）とを示している。
【００２４】
ここで、本実施例１の電子装置１０では、この電子装置１０の内部に設けたスロット部１２には、複数のインターフェースカード１３を実装した状態で搭載可能な複数のトレイユニット２０を、着脱自在（図１の矢印方向）に設けるとともに、インターフェースカード１３の未実装時或いは、実装時にトレイユニット２０の前面部に設けた平板面部３３の一部に形成した長尺孔部３４を閉塞或いは、開放する回転扉部４０を設けたこととしている。
【００２５】
概略的に説明すると、本実施例１に示す電子装置１０では、インターフェースカード１３の搭載の有無にかかわらず常に塞ぎ板付きのトレイユニット２０が電子装置１０の全スロット部１２に搭載されているため、冷却ファンによる冷却風が装置前面部から外部へ漏出することを防止できる構成としている。
【００２６】
すなわち、インターフェースカード１３の未実装時には、トレイユニット２０に設けた長尺孔部３４に対する回転扉部４０の閉塞動作によって、冷却ファンの冷風が外部に漏出することを防止し放熱性を確保するようにしている。
【００２７】
一方、インターフェースカード１３の実装時には、回転扉部４０がインターフェースカード１３の実装の妨げにならないように、この回転扉部４０を本体部２１の前方に設けた前側板部２４に固定機構６０により固定する構成としている。
【００２８】
以下、電子装置の全体構成の詳細について説明する。図１に示すように、電子装置１０は、全体がコンソール型の本体部１１から構成されるとともに、この本体部１１には、矩形型の複数（図１では、８個）のスロット部１２が形成されている。そして、これら複数のスロット部１２の内部にインターフェースカード１３を実装できるトレイユニット２０を搭載している。
【００２９】
また、従来と同様に、この電子装置１０の所定の位置には、トレイユニット２０の内部に搭載したインターフェースカード１３を冷風により冷却するための冷却ファン（図示せず）及び通風孔６を備えている。
【００３０】
冷却ファンは、電子装置１０の前側位置に設けた通風孔６から外部の空気を取り込み電子装置１０内部に搭載したインターフェースカード１３を送風により冷却することができる。また、外部から通風孔６に取り込んだ空気は、電子装置１０の後部に設けた排出口（図示せず）から排出される。
【００３１】
また、同図に示すように、インターフェースカード１３の一部（表面板部１３ａ）には、複数の接続口１３ｃ（電気コネクタ部）が形成され、この接続口１３ｃには、例えば、通信を行なう際に通信機器側（電子装置）に実装する仕様をモジュール化した電気部品（ＳＦＰ：Small Form Factor Pluggable）などを接続することができる。
【００３２】
[トレイユニット２０の構成]
次に、図２〜図４を用いて、電子装置１の内部に設けられるトレイユニット２０の構成について説明する。ここで、図２は、トレイユニット２０の全体構成を示す外観斜視図である（右方向）。また、図３は、トレイユニット２０の全体構成を示す外観斜視図である（左方向）。また、図４は、トレイユニット２０の表面板部３０の裏面を示す正面図である。
【００３３】
同図に示すように、トレイユニット２０は、電子装置１０の本体部１１に設けられたスロット部１２に合わせて全体が四角形状に形成されるとともに、平板型の本体部２１と、本体部２１の両側に位置する略Ｌ字型の側板部２２、２３と、本体部２１の前側に位置する長尺状の前側板部２４と、同じく本体部２１の前側に位置する矩形型に形成された表面板部３０とを備えている。この表面板部３０は、スロット部１２の開口部とほぼ同形状及び同寸法に形成されている。
【００３４】
また、後述するように、トレイユニット２０の本体部２１に固設された取り付け柱部２６により取り付けねじ２７を使用してインターフェースカード１３を取り付け固定することができる。また、２８は、トレイ挿抜用のカードレバーである。
【００３５】
ここで、本体部２１の両側に位置する略Ｌ字型の側板部２２と側板部２３とにより電子装置１０の内部にトレイユニット２０を装着することができる。なお、この側板部２２、２３には、冷却ファンによる冷却風を通風させるための複数個の通風孔２５が形成されている。通風孔２５により、トレイユニット２０にインターフェースカード１３を実装（結合）した際に、インターフェースカード１３の裏面へ冷風を通風させることができる。
【００３６】
また、同図に示すトレイユニット２０の前方に設けられた表面板部３０は、上面部３１と一対の側面部３２と平板面部３３とにより構成され、このうち、平板面部３３には、長尺状の長尺孔部３４が形成されている。なお、この表面板部３０の平板面部３３に形成された長尺孔部３４は、インターフェースカード１３の実装時に外線コネクタやＳＦＰなどの操作部品などを装着させるための通孔となる。また、表面板部３０を構成する上面部３１の周囲には、上下に隣接する各トレイユニット２０と接触したり、電波漏れを防止するためのガスケット３８が付設されている。
【００３７】
すなわち、このトレイユニット２０に設けられたガスケット３８は、トレイユニット２０の搭載時には、必ず電子装置１０または隣接する他のトレイユニット２０と接触するため、これによって、電子装置１０前面部から外部へ電波が漏出することを防止することができる。
【００３８】
また、前側板部２４の所定位置（長尺孔部３４の両側位置）には、インターフェースカード１３の未実装時にトレイユニット２０に形成された接続用の長尺孔部３４を閉塞或いは、開放させる回転扉部４０が設けられている。さらに、この長尺孔部３４の周囲には、ガスケット３８と同様に、電波漏れを防止するための別のガスケット３９（図５−３）が付設されている。
【００３９】
回転扉部４０は、表面板部３０の平板面部３３に形成された長尺孔部３４の大きさよりも僅かに大きく形成された塞ぎ板４１と回転軸４２とから構成され、この回転軸４２を基点として回転自在に構成されている。
【００４０】
回転扉部４０は、この回転扉部４０により長尺孔部３４を塞いだ状態で固定する固定機構５０が設けられている。
【００４１】
固定機構５０は、矩形型の本体部５１と固定片５２と手指などにより操作する固定操作レバー５３とにより構成されており、この固定操作レバー５３を所定の方向（図４の内側）に操作することにより回転扉部４０を表面板部３０の平板面部３３側に固定することができる。すなわち、インターフェースカード１３の未実装時に、回転扉部４０は表面板部３０側に固定され、この回転扉部４０は表面板部３０の一部となる。
【００４２】
一方、インターフェースカード１３の実装時に、インターフェースカード１３とトレイユニット２０との結合の妨げとならないよう回転扉部４０は本体部の所定の位置に固定機構６０により固定させることができる。
【００４３】
すなわち、トレイユニット２０の本体部２１に形成された前側板部２４にも、回転扉部４０を、この前側板部２４側に固定する固定機構６０が設けられている。この固定機構６０は、矩形型の本体部６１と固定片６２と手指などにより操作する固定操作レバー６３とにより構成されており、この固定操作レバー６３を所定の方向（図５−３の矢印ｂ方向）に操作することにより回転扉部４０を所定の位置（前側板部２４側）に固定することができる。
【００４４】
[トレイユニット２０の回転扉部４０の開閉方法]
次に、図５−１〜図５−３を用いて、トレイユニット２０に設けた回転扉部４０の開閉方法について説明する。ここで、図５−１は、固定操作レバー５３による回転扉部４０の開放操作を、図５−２は、回転扉部４０の開放途中の状態を、図５−３は、回転扉部４０の開放状態をそれぞれ説明する図である。
【００４５】
先ず、図５−１に示すように、トレイユニット２０の平板面部３３（図３）に形成された長尺孔部３４の左右位置に設けた固定機構５０の固定操作レバー５３を左右方向（矢印ａ方向）にそれぞれスライドさせ、固定機構５０を構成する一対の固定片５２を解除することにより、この平板面部３３に対する回転扉部４０の固定を解除する。
【００４６】
次に、図５−１で説明したように、固定機構５０の一対の固定片５２を解除することにより、この平板面部３３に対する回転扉部４０の固定を解除したならば、図５−２に示すように、回転扉部４０を、この回転扉部４０の回転軸４２を基点として内側方向（前側板部２４側）に回転させる。
【００４７】
次に、図５−３に示すように、トレイユニット２０の本体部２１（図２）の前側に形成された前側板部２４側に回転扉部４０を完全に倒し、この前側板部２４の表面部に当接させた状態で、回転扉部４０を固定機構６０を使用して、トレイユニット２０の前側板部２４側に固定する。
【００４８】
具体的には、同図に示すように、固定機構６０の一対の固定操作レバー６３を内側方向（矢印ｂ方向）にスライドさせ、回転扉部４０を前側板部２４に固定する。このように、回転扉部４０をトレイユニット２０の前側板部２４側に固定することで、インターフェースカード１３をトレイユニット２０内に実装させることができる。なお、再度、回転扉部４０をトレイユニット２０側に固定する場合は、図５−１〜図５−３と逆の手順で行なう。
【００４９】
[トレイユニット２０とインターフェースカード１３との結合方法]
次に、図６〜図１１を用いて、トレイユニット２０とインターフェースカード１３との結合方法について説明する。ここで、図６は、インターフェースカード１３の全体構成を示す斜視図である。
【００５０】
また、図７は、取り付けネジ２７の取り外し状態を、図８は、インターフェースカード１３の取り付けを、図９は、取り付けネジ２７の取り付け手順を、図１０は、固定操作レバー５３によるインターフェースカード１３の取り付けを、図１１は、トレイユニット２０に取り付け固定されたインターフェースカード１３をそれぞれ示す図である。
【００５１】
[インターフェースカード１３の構成]
先ず、図６を用いてインターフェースカード１３の構成の詳細を説明する。図６に示すように、インターフェースカード１３は、本体部に、複数個の回路部品と複数個の前面回路部品とを搭載して構成されている。また、このインターフェースカード１３は、トレイユニット２０の本体部２１よりも僅かに小さい形状に形成されるとともに、複数個（図６では、４個）のねじ孔１３ｂが形成されたプリント配線基板を採用しており、このインターフェースカード１３の一部（図６の前面部）には、矩形型の表面板部１３ａが固設されている。
【００５２】
そして、この表面板部１３ａには、複数（図６では、５個）の接続口１３ｃ（電気コネクタ部）が形成されている。前述したように、この接続口１３ｃには、例えば、通信を行なう際に通信機器側（電子装置）に実装する仕様をモジュール化した電気部品（ＳＦＰ：Small Form Factor Pluggable）などを接続することができる。
【００５３】
上述した、図６に示すインターフェースカード１３をトレイユニット２０に結合する場合、先ず、図７に示すように、トレイユニット２０の取り付け柱部２６に仮り止め固定されている４本の取り付けネジ２７を取り外す。なお、この取り付けネジ２７の取り外しは、回転扉部４０が固定機構６０によりトレイユニット２０の本体部２１の前側に形成された前側板部２４側に固定されている状態（図５−３参照）で行なう。
【００５４】
次に、図８に示すように、トレイユニット２０と水平になるようにインターフェースカード１３をトレイユニット２０に近づけるとともに、インターフェースカード１３をトレイユニット２０の本体部２１側に押し付けるようにスライドさせて挿入する。
【００５５】
次に、図９に示すように、トレイユニット２０に設けられている４個の取り付け柱部２６に対してインターフェースカード１３を４本の取り付けネジ２７を使用して取り付け固定する。
【００５６】
次に、図１０に示すように、固定機構５０の固定操作レバー５３を使用してこの固定機構５０の固定片５２によりインターフェースカード１３の表面板部１３ａをトレイユニット２０の表面板部３０の平板面部３３の裏側に固定する。これにより、トレイユニット２０の平板面部３３（図１１）の裏側に設けているガスケット３９（図５−３）とインターフェースカード１３の前面部に設けた表面板部１３ａとが密着することとなり、電波の漏出防止を行なうことができる。
【００５７】
以上説明したように、本実施例１に係る電子装置１０によれば、この電子装置１０の内部に設けたスロット部１２には、複数のインターフェースカード１３を実装した状態で搭載可能な複数のトレイユニット２０を着脱自在に設けるとともに、インターフェースカード１３の未実装時或いは、インターフェースカード１３の実装時にトレイユニット２０の平板面部３３の一部に形成した長尺孔部３４を閉塞或いは、開放する回転扉部４０を設ける構成としているので、従来のような塞ぎ板の新たな取り付けがなくても、冷却ファンによる放熱性の確保及び外部への電波の漏出防止を確実に行なうことができる。
【００５８】
また、電子装置１０の初期導入時においても、予め、この電子装置１０の全スロット部１２には、塞ぎ板の機能を備えたトレイユニット２０が搭載されているため、インターフェースカード１３の実装が不要なスロット部１２に対する従来のような塞ぎ板の実装を不要とすることができ、これによって、従来のような塞ぎ板が不要となるため、塞ぎ板単体の在庫／納品管理が発生しないうえ、不要となった塞ぎ板の廃却等が不要となるとともに、紛失の可能性もなくなる。
【００５９】
（他の実施例）
さて、これまで本発明の実施例１について説明したが、本発明の電子装置は上述した実施例１以外にも、上記特許請求の範囲に記載した技術的思想の範囲内において、種々の異なる実施例にて実施することもできる。
【００６０】
すなわち、上述した、実施例１では、回転扉部を電子装置のトレイユニットに設ける構成としているが、ＰＫＧ（パッケージ）の挿入に使用されるブランクパネルに適用する構成としてもよい。
【００６１】
以上の実施例１を含む実施形態に関し、さらに以下の付記を開示する。
【００６２】
（付記１）プラグインユニットを搭載するスロット部と、装置内部に送風を行なう送風ファンとを備えた電子装置であって、
前記電子装置は、
前記複数のスロット部内に収納可能なトレイユニットを備え、
前記トレイユニットは、前記プラグインユニットを搭載可能なトレイ本体部と、当該トレイ本体部の前面に設けられた表面板部とを備え、
前記表面板部には、前記プラグインユニットに設けた電気コネクタ部を挿通する通孔が形成されるとともに、当該通孔を閉塞或いは、開放する開閉板を備えることを特徴とする電子装置。
【００６３】
（付記２）プラグインユニットを搭載するスロット部と、装置内部に送風を行なう送風ファンとを備えた電子装置であって、
前記電子装置は、
前記複数のスロット部内に収納可能なトレイユニットを備え、
前記トレイユニットは、前記プラグインユニットを搭載可能なトレイ本体部と、当該トレイ本体部の前面に設けられた表面板部とを備え、
前記表面板部には、前記プラグインユニットに設けた電気コネクタ部を挿通する通孔が形成されるとともに、当該通孔を閉塞或いは、開放する開閉板を備え、
前記開閉板は、前記トレイユニットに対する前記プラグインユニットの未実装時には、前記表面板部の前記通孔を閉塞するとともに、前記プラグインユニットの実装時には、前記表面板部の前記通孔を開放することを特徴とする電子装置。
【００６４】
（付記３）前記開閉板は、当該開閉板の回転軸を中心として所定の方向に回転させる回転機構を備え、
前記トレイユニットに対する前記プラグインユニットの未実装時には、前記表面板部の前記通孔を、前記回転機構による回転軸の回転により閉塞するとともに、前記プラグインユニットの実装時には、前記表面板部の前記通孔を前記回転機構による回転軸の回転により開放することを特徴とする付記１または２に記載の電子装置。
【００６５】
（付記４）前記表面板部には、前記トレイユニットに対する前記プラグインユニットの未実装時に前記開閉板を当該表面板部の所定の位置に固定する少なくとも１箇所以上の固定機構が設けられることを特徴とする付記１、２または３に記載の電子装置。
【００６６】
（付記５）前記表面板部には、前記トレイユニットに対する前記プラグインユニットの実装時に前記開閉板を当該表面板部の所定の位置に固定する少なくとも１箇所以上の固定機構が設けられることを特徴とする付記１、２または３に記載の電子装置。
【００６７】
（付記６）前記開閉板の幅寸法は、前記表面板部に形成された前記通孔の幅寸法よりも僅かに大きい幅寸法となるように形成されていることを特徴とする付記１〜５の何れか一つに記載の電子装置。
【００６８】
（付記７）前記トレイユニットの前記表面板部に形成された前記通孔の周囲には、電波の放射を防止する電波防止部材が設けられることを特徴とする付記１〜６の何れか一つに記載の電子装置。
【００６９】
（付記８）前記トレイユニットに対する前記プラグインユニットの未実装時には、前記表面板部の前記通孔の周囲に形成された前記電波防止部材と、前記開閉板の周囲部とが密着接触し、前記トレイユニットに対する前記プラグインユニットの実装時には、前記表面板部の前記通孔の周囲に形成された前記電波防止部材と、前記プラグインユニットの一部とが密着接触することを特徴とする付記７に記載の電子装置。
【００７０】
（付記９）前記電波防止部材は、ガスケット部材であることを特徴とする付記７または８に記載の電子装置。
【００７１】
（付記１０）前記トレイユニットの所定位置には、前記送風ファンによる送風を通過可能な通孔が形成されることを特徴とする付記１〜９の何れか一つに記載の電子装置。
【産業上の利用可能性】
【００７２】
本発明は、プラグインユニット（ＰＩＵ）を内部に実装する電子装置に有用であり、特に、冷却ファンによる放熱性の確保及び外部への電波の漏出防止を行なうことができる電子装電として効果的である。
【図面の簡単な説明】
【００７３】
【図１】実施例１に係る電子装置の全体構成を示す外観斜視図である。
【図２】トレイユニットの全体構成を示す外観斜視図である（右方向）。
【図３】トレイユニットの全体構成を示す外観斜視図である（左方向）。
【図４】トレイユニットの表面板部の裏面を示す正面図である。
【図５−１】固定操作レバーによる回転扉部の開放操作を説明する図である。
【図５−２】回転扉部の開放途中の状態を説明する図である。
【図５−３】回転扉部の開放状態を説明する図である。
【図６】インターフェースカードの全体構成を示す図である。
【図７】取り付けネジの取り外し状態を示す図である。
【図８】インターフェースカードの取り付けを示す図である。
【図９】取り付けネジの取り付け手順を示す図である。
【図１０】固定操作レバーによるインターフェースカードの取り付けを示す図である。
【図１１】トレイユニットに取り付け固定されたインターフェースカードを示す図である。
【図１２】従来の電子装置の全体構成を示す外観斜視図である。
【図１３】電子装置に対する塞ぎ板の取り付け状態を示す外観斜視図である。
【符号の説明】
【００７４】
１、１０  電子装置
２、１１  本体部
３、１２  スロット部
４  制御カード
５、１３  インターフェースカード
６  通風孔
７  塞ぎ板
２０  トレイユニット
３０  表面板部
３４  長尺孔部
３８、３９  ガスケット
４０  回転扉部
【図１】
2010087004.tif 000003
【図２】
2010087004.tif 000004
【図３】
2010087004.tif 000005
【図４】
2010087004.tif 000006
【図５−１】
2010087004.tif 000007
【図５−２】
2010087004.tif 000008
【図５−３】
2010087004.tif 000009
【図６】
2010087004.tif 000010
【図７】
2010087004.tif 000011
【図８】
2010087004.tif 000012
【図９】
2010087004.tif 000013
【図１０】
2010087004.tif 000014
【図１１】
2010087004.tif 000015
【図１２】
2010087004.tif 000016
【図１３】
2010087004.tif 000017